(57)【要約】  本発明は省エネ型の産業排水処理装置を開示し、装置本体及び前記装置本体に設置されて動力モータを本体とした動力装置を備え、前記動力装置は動力室を備え、前記動力室の左側端壁に動力モータが固定して取り付けられ、前記動力モータの右端に第１回転軸が動力を伝動可能に接続され、前記動力室に前記第１回転軸の右端に固定して取り付けられる第１かさ歯車が設置され、前記動力室の上端壁に上方へ延びている第２回転軸が回転可能に取り付けられ、前記動力室に前記第２回転軸の下端に固定して取り付けられ且つ前記第１かさ歯車と噛み合いする第２かさ歯車が設置されている。本発明は、構造がシンプルであり、機構同士の伝動により装置の運転の連動性を高め、排水に添加されるミョウバンに対する撹拌の均一性を向上させて、ミョウバンと排水の間の反応を加速化させ、ろ過効率を高め、また、流れる水の量に応じてミョウバンを添加することで十分の浄化能力を確保する。
2021520983.tif 000002
【特許請求の範囲】
【請求項１】
装置本体及び前記装置本体に設置されて動力モータを本体とした動力装置を備える省エネ型の産業排水処理装置であって、
前記動力装置は動力室を備え、前記動力室の左側端壁に動力モータが固定して取り付けられ、前記動力モータの右端に第１回転軸が動力を伝動可能に接続され、前記動力室に前記第１回転軸の右端に固定して取り付けられる第１かさ歯車が設置され、前記動力室の上端壁に上方へ延びている第２回転軸が回転可能に取り付けられ、前記動力室に前記第２回転軸の下端に固定して取り付けられ且つ前記第１かさ歯車と噛み合いする第２かさ歯車が設置され、前記第２回転軸の上端にプーリ伝動機構を介してミョウバン予備混合装置が設置され、ミョウバン予備混合装置は前記動力室の右側に設置された予備混合室を備え、前記予備混合室においてブレード機構及び予備混合ブロックによってミョウバン及び排水が予備混合され、前記動力室の下端壁に下方へ延びている第３回転軸が回転可能に取り付けられ、前記動力室に前記第３回転軸の上端に固定して取り付けられ且つ前記第１かさ歯車と噛み合いする第３かさ歯車が設置され、前記第３かさ歯車の下端に歯車系を介して撹拌反応装置が伝動可能に接続され、前記撹拌反応装置は前記予備混合室の下端壁に連通して設置された回転室を備え、前記回転室に撹拌ブロックが回転可能に設置され、前記撹拌ブロックに上向きに開口した撹拌室が設置され、前記撹拌室にカム撹拌機構が設置され、前記カム撹拌機構と前記撹拌ブロックの回転方向が反対する運動関係により排水とミョウバンの反応が促進され、前記撹拌反応装置の下側に沈殿ろ過装置が設置され、前記沈殿ろ過装置は前記撹拌室の下端壁に連通して設置された沈殿室を備え、前記沈殿室に反応により生じた不純物を排水から分離するためのろ過機構が設置されている、ことを特徴とする省エネ型の産業排水処理装置である。
【請求項２】
前記ミョウバン予備混合装置は前記予備混合室の左側端壁に連通して設置された供給室を備え、前記装置本体の上端面に上向きに開口した供給口が設置され、前記供給口と前記供給室との間にキャビティが連通して設置され、前記供給室の上下端壁の間に第４回転軸が回転可能に取り付けられ、前記供給室に前記第４回転軸の外面に固定して取り付けられる取付スリーブが設置され、前記供給室に前記取付スリーブの外面に固定して取り付けられる第１ブレードが設置され、且つ前記第１ブレードの上下端面が前記供給室の上下端壁に当接し、前記予備混合室の上端壁に下方へ延びている第５回転軸が回転可能に取り付けられ、前記予備混合室に接続ブラケットを介して前記予備混合室の内壁の間に固定して取り付けられる固定スリーブが上下対称となるように設置され、且つ前記第５回転軸は上下の２つの固定スリーブを回転可能に貫通し、前記予備混合室に前記第５回転軸の外面に固定して取り付けられる第２ブレードが設置され、且つ前記第２ブレードの左端が前記第１ブレードと互いに嵌め合いし、前記予備混合室の左側端壁に前記動力室の上側に位置するプーリ室が連通して設置され、且つ前記第２回転軸の上端は前記プーリ室に回転可能に伸びかつ前記プーリ室の上端壁に回転して嵌め合いするように接続され、前記プーリ室に前記第２回転軸の外面に固定して取り付けられる駆動輪が設置され、前記予備混合室に前記第５回転軸の外面に固定して取り付けられる従動輪が設置され、前記駆動輪と前記従動輪との間に伝動ベルトが動力を伝動可能に接続され、前記予備混合室に前記第５回転軸の外面に固定して取り付けられる複数の撹拌ブロックが設置され、前記予備混合室の右端壁の上側に外界に連通している排水パイプが設置されている、ことを特徴とする請求項１に記載の省エネ型の産業排水処理装置である。
【請求項３】
前記撹拌反応装置は下方へ延び且つ前記撹拌室の内部に伸びている前記第３回転軸を備え、前記動力室の下側に歯車室が設置され、且つ前記第３回転軸の下端が前記歯車室を回転可能に貫通し、前記歯車室に前記第３回転軸の外面に固定して取り付けられる駆動歯車が設置され、前記歯車室の下側に嵌合室が設置され、前記歯車室と前記嵌合室との間に第６回転軸が回転して嵌め合いするように接続され、且つ前記第６回転軸の上端が前記歯車室の上端壁に回転して嵌め合いするように接続され、前記歯車室に前記第６回転軸の外面に固定して取り付けられ且つ前記駆動歯車と噛み合いする従動歯車が設置され、前記嵌合室の上端壁に下方へ延びている回転スリーブが回転して嵌め合いするように接続され、前記回転スリーブの下端が前記撹拌室の内部に伸びており、且つ前記撹拌室は前記第３回転軸の外面に套設され、前記嵌合室に前記回転スリーブの外面に固定して取り付けられる伝動プーリが設置され、前記嵌合室に前記第６回転軸の下端に固定して取り付けられる嵌合プーリが設置され、前記嵌合プーリと前記伝動プーリとの間にタイミングベルトが動力を伝動可能に接続され、前記撹拌室に前記回転スリーブの外面に固定して取り付けられる固定ブラケットが設置され、且つ前記回転スリーブから離れた前記固定ブラケットの一端は前記撹拌ブロックに固定して接続され、前記撹拌室に前記回転スリーブの外面に固定して取り付けられるカム取付ブロックが設置され、前記カム取付ブロックに前記回転スリーブを貫通したカム取付室が設置され、前記カム取付室に前記第３回転軸の外面に固定して取り付けられるカムが設置され、前記第３回転軸から離れた前記カム取付室の端壁にシュートが連通して設置され、前記シュートに左右にスライド可能なプッシュロッドが設置され、前記カム取付けブロックに前記カム取付室の両側に位置するバネ室が左右対称となるように設置され、且つ前記プッシュロッドは前記バネ室をスライド可能に貫通し、前記バネ室の上下端壁のいずれにも外界に連通しているストローク溝が設置され、前記ストローク溝に左右にスライド可能であるとともに前記プッシュロッドの上下端面に固定して取り付けられる撹拌ロッドが設置され、前記第３回転軸から離れた前記撹拌ロッドの端面と前記第３回転軸から離れた前記バネ室の端壁との間に上下対称となるように押さえバネが固定して設置されている、ことを特徴とする請求項１に記載の省エネ型の産業排水処理装置である。
【請求項４】
前記沈殿ろ過装置は前記沈殿室の左側に設置されかつ外界に連通している収容室を備え、前記収容室の右端壁と前記沈殿室の左端壁との間に右上方へ延びているろ過チャンネルが連通して設置され、前記ろ過チャンネルに電磁弁が設置され、前記沈殿室の左右端壁の間に左下方へ延びているろ過網が固定して取り付けられ、前記沈殿室の左右端壁の上側の間に開口制御弁が固定して取り付けられ、前記沈殿室の右側端壁の下側に外界に連通している排水パイプが設置され、前記排水パイプに排水制御弁が設置されている、ことを特徴とする請求項１に記載の省エネ型の産業排水処理装置である。
【発明の詳細な説明】
【技術分野】
【０００１】
本発明は、排水処理の技術分野に関し、具体的には、省エネ型の産業排水処理装置である。
【背景技術】
【０００２】
排水とは、通常、ある程度汚染された、生活や産業活動などに由来する廃水のことであり、このような排水がそのまま河道に排出されると、河道付近の生態環境を破壊して、その近くに住んでいる人の心身の健康に大きな影響を及ぼし、そのため、これら排水については、処理して検査に合格したものしか排出できず、排水の処理過程において、まず排水における大粒子を沈殿させてろ過し、ミョウバンなどの浄化剤を手動で添加する従来の処理方式は、時間も手間もかかり、従来の浄化装置は、構造が複雑であり、機構同士の連動性が悪く、反応において浄化剤と排水を均一に撹拌できない場合が多く、その結果として両方の反応速度を低下させ、また、排水の流量が変わる場合には、浄化剤の添加量をタイムリーに変えることができず、従って、柔軟性に欠ける。
【先行技術文献】
【特許文献】
【０００３】
【特許文献１】中国特許出願公開第１０７９０２７３７号明細書
【０００４】
本発明は、下水処理装置に関し、特に、下水処理用の下水・ミョウバン撹拌沈殿分離装置に関する。
【０００５】
【特許文献２】中国特許出願公開第１０７９１５２８９号明細書
【０００６】
本発明は、下水処理装置に関し、特に下水処理用の下水処理タンクのミョウバン投入装置に関する。
【発明の概要】
【発明が解決しようとする課題】
【０００７】
本発明の目的は、従来技術における上記欠陥を克服するために、省エネ型の産業排水処理装置を提供することである。
【課題を解決するための手段】
【０００８】
本発明による省エネ型の産業排水処理装置は、装置本体及び前記装置本体に設置されて動力モータを本体とした動力装置を備え、
前記動力装置は動力室を備え、前記動力室の左側端壁に動力モータが固定して取り付けられ、前記動力モータの右端に第１回転軸が動力を伝動可能に接続され、前記動力室に前記第１回転軸の右端に固定して取り付けられる第１かさ歯車が設置され、前記動力室の上端壁に上方へ延びている第２回転軸が回転可能に取り付けられ、前記動力室に前記第２回転軸の下端に固定して取り付けられ且つ前記第１かさ歯車と噛み合いする第２かさ歯車が設置され、前記第２回転軸の上端にプーリ伝動機構を介してミョウバン予備混合装置が設置され、ミョウバン予備混合装置は前記動力室の右側に設置された予備混合室を備え、前記予備混合室においてブレード機構及び予備混合ブロックによってミョウバン及び排水が予備混合され、前記動力室の下端壁に下方へ延びている第３回転軸が回転可能に取り付けられ、前記動力室に前記第３回転軸の上端に固定して取り付けられ且つ前記第１かさ歯車と噛み合いする第３かさ歯車が設置され、前記第３かさ歯車の下端に歯車系を介して撹拌反応装置が伝動可能に接続され、前記撹拌反応装置は前記予備混合室の下端壁に連通して設置された回転室を備え、前記回転室に撹拌ブロックが回転可能に設置され、前記撹拌ブロックに上向きに開口した撹拌室が設置され、前記撹拌室にカム撹拌機構が設置され、前記カム撹拌機構と前記撹拌ブロックの回転方向が反対する運動関係により排水とミョウバンの反応が促進され、前記撹拌反応装置の下側に沈殿ろ過装置が設置され、前記沈殿ろ過装置は前記撹拌室の下端壁に連通して設置された沈殿室を備え、前記沈殿室に反応により生じた不純物を排水から分離するためのろ過機構が設置されている。
【０００９】
さらなる技術案として、前記ミョウバン予備混合装置は前記予備混合室の左側端壁に連通して設置された供給室を備え、前記装置本体の上端面に上向きに開口した供給口が設置され、前記供給口と前記供給室との間にキャビティが連通して設置され、前記供給室の上下端壁の間に第４回転軸が回転可能に取り付けられ、前記供給室に前記第４回転軸の外面に固定して取り付けられる取付スリーブが設置され、前記供給室に前記取付スリーブの外面に固定して取り付けられる第１ブレードが設置され、且つ前記第１ブレードの上下端面が前記供給室の上下端壁に当接し、前記予備混合室の上端壁に下方へ延びている第５回転軸が回転可能に取り付けられ、前記予備混合室に接続ブラケットを介して前記予備混合室の内壁の間に固定して取り付けられる固定スリーブが上下対称となるように設置され、且つ前記第５回転軸は上下の２つの固定スリーブを回転可能に貫通し、前記予備混合室に前記第５回転軸の外面に固定して取り付けられる第２ブレードが設置され、且つ前記第２ブレードの左端が前記第１ブレードと互いに嵌め合いし、前記予備混合室の左側端壁に前記動力室の上側に位置するプーリ室が連通して設置され、且つ前記第２回転軸の上端は前記プーリ室に回転可能に伸びかつ前記プーリ室の上端壁に回転して嵌め合いするように接続され、前記プーリ室に前記第２回転軸の外面に固定して取り付けられる駆動輪が設置され、前記予備混合室に前記第５回転軸の外面に固定して取り付けられる従動輪が設置され、前記駆動輪と前記従動輪との間に伝動ベルトが動力を伝動可能に接続され、前記予備混合室に前記第５回転軸の外面に固定して取り付けられる複数の撹拌ブロックが設置され、前記予備混合室の右端壁の上側に外界に連通している排水パイプが設置されている。
【００１０】
さらなる技術案として、前記撹拌反応装置は下方へ延び且つ前記撹拌室の内部に伸びている前記第３回転軸を備え、前記動力室の下側に歯車室が設置され、且つ前記第３回転軸の下端が前記歯車室を回転可能に貫通し、前記歯車室に前記第３回転軸の外面に固定して取り付けられる駆動歯車が設置され、前記歯車室の下側に嵌合室が設置され、前記歯車室と前記嵌合室との間に第６回転軸が回転して嵌め合いするように接続され、且つ前記第６回転軸の上端が前記歯車室の上端壁に回転して嵌め合いするように接続され、前記歯車室に前記第６回転軸の外面に固定して取り付けられ且つ前記駆動歯車と噛み合いする従動歯車が設置され、前記嵌合室の上端壁に下方へ延びている回転スリーブが回転して嵌め合いするように接続され、前記回転スリーブの下端が前記撹拌室の内部に伸びており、且つ前記撹拌室は前記第３回転軸の外面に套設され、前記嵌合室に前記回転スリーブの外面に固定して取り付けられる伝動プーリが設置され、前記嵌合室に前記第６回転軸の下端に固定して取り付けられる嵌合プーリが設置され、前記嵌合プーリと前記伝動プーリとの間にタイミングベルトが動力を伝動可能に接続され、前記撹拌室に前記回転スリーブの外面に固定して取り付けられる固定ブラケットが設置され、且つ前記回転スリーブから離れた前記固定ブラケットの一端は前記撹拌ブロックに固定して接続され、前記撹拌室に前記回転スリーブの外面に固定して取り付けられるカム取付ブロックが設置され、前記カム取付ブロックに前記回転スリーブを貫通したカム取付室が設置され、前記カム取付室に前記第３回転軸の外面に固定して取り付けられるカムが設置され、前記第３回転軸から離れた前記カム取付室の端壁にシュートが連通して設置され、前記シュートに左右にスライド可能なプッシュロッドが設置され、前記カム取付ブロックに前記カム取付室の両側に位置するバネ室が左右対称となるように設置され、且つ前記プッシュロッドは前記バネ室をスライド可能に貫通し、前記バネ室の上下端壁のいずれにも外界に連通しているストローク溝が設置され、前記ストローク溝に左右にスライド可能であるとともに前記プッシュロッドの上下端面に固定して取り付けられる撹拌ロッドが設置され、前記第３回転軸から離れた前記撹拌ロッドの端面と前記第３回転軸から離れた前記バネ室の端壁との間に上下対称となるように押さえバネが固定して設置されている。
【００１１】
さらなる技術案として、前記沈殿ろ過装置は前記沈殿室の左側に設置されかつ外界に連通している収容室を備え、前記収容室の右端壁と前記沈殿室の左端壁との間に右上方へ延びているろ過チャンネルが連通して設置され、前記ろ過チャンネルに電磁弁が設置され、前記沈殿室の左右端壁の間に左下方へ延びているろ過網が固定して取り付けられ、前記沈殿室の左右端壁の上側の間に開口制御弁が固定して取り付けられ、前記沈殿室の右側端壁の下側に外界に連通している排水パイプが設置され、前記排水パイプに排水制御弁が設置されている。
【発明の効果】
【００１２】
本発明の有益な効果は、以下のとおりである。本発明は、構造がシンプルであり、コンパクトな伝動により排水における大粒子を沈殿させ、機構同士の伝動により装置の運転の連動性を高め、２つの撹拌機構によって排水に添加されるミョウバンに対する撹拌の均一性を向上させて、カム機構によってミョウバンと排水の間の反応を加速化させ、ろ過効率を高め、また、流れる水の量に応じてミョウバンを添加することで十分の浄化能力を確保する。
【図面の簡単な説明】
【００１３】
【図１】本発明の省エネ型の産業排水処理装置の内部の全体構造模式図である。
【図２】本発明における図１のＡ−Ａ部分の構造模式図である。
【図３】本発明における図１のＢ部分の構造模式図である
【発明を実施するための形態】
【００１４】
以下、図１−３を参照しながら本発明を詳細に説明し、説明の便宜のため、以下に説明する方位については、以下に説明する上、下、左、右、前、後の方向が図１自体の投影関係による上、下、左、右、前、後の方向と一致するように定義する。
【００１５】
図１−３に示すように、本発明による実施例の省エネ型の産業排水処理装置は、装置本体１００及び前記装置本体１００に設置されて動力モータ１０５を本体とした動力装置を備え、前記動力装置は動力室１３７を備え、前記動力室１３７の左側端壁に動力モータ１０５が固定して取り付けられ、前記動力モータ１０５の右端に第１回転軸１０６が動力を伝動可能に接続され、前記動力室１３７に前記第１回転軸１０６の右端に固定して取り付けられる第１かさ歯車１０４が設置され、前記動力室１３７の上端壁に上方へ延びている第２回転軸１５４が回転可能に取り付けられ、前記動力室１３７に前記第２回転軸１５４の下端に固定して取り付けられ且つ前記第１かさ歯車１０４と噛み合いする第２かさ歯車１０３が設置され、前記第２回転軸１５４の上端にプーリ伝動機構を介してミョウバン予備混合装置が設置され、ミョウバン予備混合装置は前記動力室１３７の右側に設置された予備混合室１４８を備え、前記予備混合室１４８においてブレード機構及び予備混合ブロックによってミョウバン及び排水が予備混合され、前記動力室１３７の下端壁に下方へ延びている第３回転軸１３４が回転可能に取り付けられ、前記動力室１３７に前記第３回転軸１３４の上端に固定して取り付けられ且つ前記第１かさ歯車１０４と噛み合いする第３かさ歯車１０７が設置され、前記第３かさ歯車１０７の下端に歯車系を介して撹拌反応装置が伝動可能に接続され、前記撹拌反応装置は前記予備混合室１４８の下端壁に連通して設置された回転室１２３を備え、前記回転室１２３に撹拌ブロック１２１が回転可能に設置され、前記撹拌ブロック１２１に上向きに開口した撹拌室１２２が設置され、前記撹拌室１２２にカム撹拌機構が設置され、前記カム撹拌機構と前記撹拌ブロック１２１の回転方向が反対する運動関係により排水とミョウバンの反応が促進され、前記撹拌反応装置の下側に沈殿ろ過装置が設置され、前記沈殿ろ過装置は前記撹拌室１２２の下端壁に連通して設置された沈殿室１３０を備え、前記沈殿室１３０に反応により生じた不純物を排水から分離するためのろ過機構が設置されている。
【００１６】
好適には又は例示的には、前記ミョウバン予備混合装置は前記予備混合室１４８の左側端壁に連通して設置された供給室１０１を備え、前記装置本体１００の上端面に上向きに開口した供給口１５６が設置され、前記供給口１５６と前記供給室１０１との間にキャビティ１５５が連通して設置され、前記供給室１０１の上下端壁の間に第４回転軸１５３が回転可能に取り付けられ、前記供給室１０１に前記第４回転軸１５３の外面に固定して取り付けられる取付スリーブ１５２が設置され、前記供給室１０１に前記取付スリーブ１５２の外面に固定して取り付けられる第１ブレード１５１が設置され、且つ前記第１ブレード１５１の上下端面が前記供給室１０１の上下端壁に当接し、前記予備混合室１４８の上端壁に下方へ延びている第５回転軸１４１が回転可能に取り付けられ、前記予備混合室１４８に接続ブラケットを介して前記予備混合室１４８の内壁の間に固定して取り付けられる固定スリーブ１４２が上下対称となるように設置され、且つ前記第５回転軸１４１は上下の２つの固定スリーブ１４２を回転可能に貫通し、前記予備混合室１４８に前記第５回転軸１４１の外面に固定して取り付けられる第２ブレード１５０が設置され、且つ前記第２ブレード１５０の左端が前記第１ブレード１５１と互いに嵌め合いし、前記予備混合室１４８の左側端壁に前記動力室１３７の上側に位置するプーリ室１４６が連通して設置され、且つ前記第２回転軸１５４の上端は前記プーリ室１４６に回転可能に伸びかつ前記プーリ室１４６の上端壁と回転して嵌め合いするように接続され、前記プーリ室１４６に前記第２回転軸１５４の外面に固定して取り付けられる駆動輪１０２が設置され、前記予備混合室１４８に前記第５回転軸１４１の外面に固定して取り付けられる従動輪１４４が設置され、前記駆動輪１０２と前記従動輪１４４との間に伝動ベルト１４５が動力を伝動可能に接続され、前記予備混合室１４８に前記第５回転軸１４１の外面に固定して取り付けられる複数の撹拌ブロック１４０が設置され、前記予備混合室１４８の右端壁の上側に外界に連通している排水パイプ１４７が設置されている。以上の内容は、以下の役割を有する。前記排水パイプ１４７を介して前記予備混合室１４８に供給されると、前記供給口１５６から前記供給室１０１へ十分のミョウバンを添加するとともに、前記動力モータ１０５を起動させ、前記動力モータ１０５は前記第２回転軸１５４を介して動力を上方へ伝達し、前記第２回転軸１５４は前記駆動輪１０２と前記従動輪１４４との間の動力関係を利用して前記第５回転軸１４１を回転駆動し、前記第５回転軸１４１は前記第２ブレード１５０と前記第１ブレード１５１との嵌合関係を利用して前記供給室１０１におけるミョウバンを前記予備混合室１４８に押し、前記撹拌ブロック１４０は排水及びミョウバンに対して予備撹拌を行い、それによって、排水及びミョウバンに対する一回目の撹拌が完了し、撹拌の均一性が高まる。
【００１７】
好適には又は例示的には、前記撹拌反応装置は下方へ延び且つ前記撹拌室１２２の内部に伸びている前記第３回転軸１３４を備え、前記動力室１３７の下側に歯車室１１０が設置され、且つ前記第３回転軸１３４の下端が前記歯車室１１０を回転可能に貫通し、前記歯車室１１０に前記第３回転軸１３４の外面に固定して取り付けられる駆動歯車１３６が設置され、前記歯車室１１０の下側に嵌合室１１３が設置され、前記歯車室１１０と前記嵌合室１１３との間に第６回転軸１１２が回転して嵌め合いするように接続され、且つ前記第６回転軸１１２の上端が前記歯車室１１０の上端壁に回転して嵌め合いするように接続され、前記歯車室１１０に前記第６回転軸１１２の外面に固定して取り付けられ且つ前記駆動歯車１３６と噛み合いする従動歯車１１１が設置され、前記嵌合室１１３の上端壁に下方へ延びている回転スリーブ１３３が回転して嵌め合いするように接続され、前記回転スリーブ１３３の下端が前記撹拌室１２２の内部に伸びており、且つ前記撹拌室１２２は前記第３回転軸１３４の外面に套設され、前記嵌合室１１３に前記回転スリーブ１３３の外面に固定して取り付けられる伝動プーリ１３５が設置され、前記嵌合室１１３に前記第６回転軸１１２の下端に固定して取り付けられる嵌合プーリ１１４が設置され、前記嵌合プーリ１１４と前記伝動プーリ１３５との間にタイミングベルト１１５が動力を伝動可能に接続され、前記撹拌室１２２に前記回転スリーブ１３３の外面に固定して取り付けられる固定ブラケット１１７が設置され、且つ前記回転スリーブ１３３から離れた前記固定ブラケット１１７の一端は前記撹拌ブロック１２１に固定して接続され、前記撹拌室１２２に前記回転スリーブ１３３の外面に固定して取り付けられるカム取付ブロック１６０が設置され、前記カム取付ブロック１６０に前記回転スリーブ１３３を貫通したカム取付室１６４が設置され、前記カム取付室１６４に前記第３回転軸１３４の外面に固定して取り付けられるカム１６３が設置され、前記第３回転軸１３４から離れた前記カム取付室１６４の端壁にシュート１６１が連通して設置され、前記シュート１６１に左右にスライド可能なプッシュロッド１６７が設置され、前記カム取付ブロック１６０に前記カム取付室１６４の両側に位置するバネ室１６８が左右対称となるように設置され、且つ前記プッシュロッド１６７は前記バネ室１６８をスライド可能に貫通し、前記バネ室１６８の上下端壁のいずれにも外界に連通しているストローク溝１６５が設置され、前記ストローク溝１６５に左右にスライド可能であるとともに前記プッシュロッド１６７の上下端面に固定して取り付けられる撹拌ロッド１６６が設置され、前記第３回転軸１３４から離れた前記撹拌ロッド１６６の端面と前記第３回転軸１３４から離れた前記バネ室１６８の端壁との間に上下対称となるように押さえバネ１６２が固定して設置されている。以上の内容は、以下の役割を有する。予備撹拌が完了した排水及びミョウバンの混合物が前記撹拌室１２２に落ちると、前記動力モータ１０５は動力を前記回転スリーブ１３３に伝達し、前記回転スリーブ１３３は前記駆動歯車１３６と前記従動歯車１１１との間の噛合関係を利用して前記第６回転軸１１２を回転駆動し、前記第６回転軸１１２は前記嵌合プーリ１１４と前記伝動プーリ１３５との間の動力関係を利用して前記回転スリーブ１３３を回転駆動し、前記回転スリーブ１３３は前記固定ブラケット１１７を介して前記撹拌ブロック１２１を前記回転室１２３において回転駆動し、また、前記第３回転軸１３４は前記カム１６３を回転駆動し、前記撹拌ロッド１６６は前記押さえバネ１６２の付勢力の作用によって前記ストローク溝１６５において左右に移動し、それによって、排水及びミョウバンをさらに撹拌し、回転方向が反対するカム機構及び前記撹拌ブロック１２１は撹拌の均一性を高めるとともに、排水及びミョウバンの反応を加速化させる。
【００１８】
好適には又は例示的には、前記沈殿ろ過装置は前記沈殿室１３０の左側に設置されかつ外界に連通している収容室１２５を備え、前記収容室１２５の右端壁と前記沈殿室１３０の左端壁との間に右上方へ伸びているろ過チャンネル１２６が連通して設置され、前記ろ過チャンネル１２６に電磁弁１２７が設置され、前記沈殿室１３０の左右端壁の間に左下方へ延びているろ過網１２８が固定して取り付けられ、前記沈殿室１３０の左右端壁の上側の間に開口制御弁１２４が固定して取り付けられ、前記沈殿室１３０の右側端壁の下側に外界に連通している排水パイプ１３１が設置され、前記排水管路１３１に排水制御弁１３２が設置されている。以上の内容は、以下の役割を有する。前記撹拌室１２２におけるミョウバン及び排水が十分に反応した後、前記開口制御弁１２４を開いて、前記ろ過網１２８で反応後の大粒子が遮断され、反応終了後の排水が前記排水パイプ１３１から次の排出工程に流れ、それと同時に、大粒子が前記ろ過チャンネル１２６を介して前記収容室１２５に入り、それによって、反応により生じた大粒子のろ過が完了する。
【００１９】
本発明の実施形態
使用するときに、排水を供給して、ミョウバン予備混合装置でミョウバンを排水と予備混合し、混合後、前記撹拌室１２２に送り、撹拌反応装置により両方の反応を加速化させ、反応終了後、前記沈殿室１３０に送ってろ過機構で大粒子を濾別する。
【００２０】
本発明の有益な効果は、以下のとおりである。本発明は、構造がシンプルであり、コンパクトな伝動により排水における大粒子を沈殿させ、機構同士の伝動により装置の運転の連動性を高め、２つの撹拌機構によって排水に添加されるミョウバンに対する撹拌の均一性を向上させて、カム機構によってミョウバンと排水の間の反応を加速化させ、ろ過効率を高め、また、流れる水の量に応じてミョウバンを添加することで十分の浄化能力を確保する。
【００２１】
当業者にとって明らかなように、本発明全体の趣旨及び構想から逸脱せずに、以上の実施例に対してさまざまな変形を行うことができ、これらは、すべて本発明の特許範囲に属し、本発明の保護範囲は、本発明において添付した特許請求の範囲を基準にする。
【図１】
2021520983.tif 000003
【図２】
2021520983.tif 000004
【図３】
2021520983.tif 000005
【国際調査報告】
2021520983.tif 000006
2021520983.tif 000007
2021520983.tif 000008
2021520983.tif 000009